(57)【要約】      （修正有）【課題】散水ホースの上蓋との干渉を緩和できるとともに、衝撃等による水栓支持枠、エルボ部材のぐらつき、がたつきを抑制でき、水栓支持枠からエルボ部材がずれたり、外れたりする事態を防止できる散水栓装置を提供する。【解決手段】底板１と底板１の周部に位置し、対向する一対の側壁６ａ、６ｂおよび７ｂを有する側枠部２と、側枠部２内側に装着される水栓支持枠３と、水栓支持枠３に支持された水栓の側方及び上方を覆うカバー体とを備え、側壁７ｂには係止部を、水栓支持枠３には、係止部と相対する部分に被係止部を設け、係止部と被係止部とを係脱可能に、且つ、側枠部２に対し水栓支持枠３を位置変更可能に装着し、底板１は、水栓に接続されるエルボ部材１２の配管接続側円筒部１２ａを固定するための支持部１４ａ、１４ｂを備え、水栓支持枠３を側壁又は前記底板側に留具３６を用いて固定するよう構成する。【選択図】図１
2018040180.tif 000002
【特許請求の範囲】
【請求項１】
底板と、この底板の周部に位置し、少なくとも対向する一対の側壁を有する側枠部と、側枠部内側又は側枠部外側に装着される水栓支持枠と、この水栓支持枠に支持された水栓の側方及び上方を覆うカバー体とを備え、
前記側壁には係止部を設ける一方、前記水栓支持枠には、前記係止部が設けられた側壁と相対する部分に被係止部を設け、
前記係止部と前記被係止部とを係脱可能に、且つ、前記側枠部に対し前記水栓支持枠を位置変更可能に装着してあるとともに、
底板は、水栓に接続されるエルボ部材の配管接続側円筒部を固定するための支持部を備える一方、水栓支持枠を前記側壁又は前記底板側に留具を用いて固定するよう構成されていることを特徴とする散水栓装置。
【請求項２】
前記係止部が上下方向に延びる複数の突条又は凹溝であり、前記被係止部が上下方向に延びる複数の凹溝又は突条である請求項１に記載の散水栓装置。
【請求項３】
前記底板は、前記支持部としてのリブを上面に有する請求項１又は請求項２に記載の散水栓装置。
【請求項４】
前記水栓支持枠は、エルボ部材の水栓取付側の外周側を固定するよう構成されているとともに、水栓をエルボ部材に接続するときにエルボ部材が水栓と共回りするのを防止するため前記支持部とでエルボ部材の前記配管接続側円筒部を挟み込む切欠部を有する請求項１〜請求項３のいずれか１項に記載の散水栓装置。
【発明の詳細な説明】
【技術分野】
【０００１】
本発明は、散水栓装置に関するものである。
【背景技術】
【０００２】
従来、散水栓装置として、下記特許文献１，２に示すように、平面視矩形の上方開口及び平面視矩形の下方開口を有する散水栓ボックスと、前記上方開口を覆うよう散水栓ボックスに着脱自在に装着される上蓋と、前記下方開口の形状に対応する平面視矩形の底板と、底板の周縁から立ち上がる立ち上がり板部（側枠部）と、底板の上方に散水栓の基部よりも下部を覆う状態で散水栓を固定設置するための中蓋とを備えたものがある。そして，容易な操作で散水ホースを散水栓に対して着脱できる公知の簡易着脱機構（例えば、特許第２６６６０５５号公報参照）の継手が散水ホースの開口端と散水栓の吐水口に備わっており、散水栓の吐水口に取り付けた継手には弁体が組み込まれている。
【先行技術文献】
【特許文献】
【０００３】
【特許文献１】特許第３８９５９７３号公報
【特許文献２】特許第３８９５９６３号公報
【発明の概要】
【発明が解決しようとする課題】
【０００４】
例えば、特許第３８９５９７３号公報に記載されている散水栓装置７０（図１１参照）においては、散水栓７１の吐水口に取り付けた継手７２に散水ホースＨの開口端に取り付けた継手（ワンタッチアダプターとも言う）７３を接続するよう構成された簡易着脱機構がある。尚、７４は、散水栓７１にねじ接続される下流部分を有するエルボ部材で、エルボ部材７４の上流部分に配管７５が接続されている。しかしながら、散水栓７１の吐水口は地表面から垂直方向に対して斜め上方に向けられており、散水栓７１を、中蓋７６の略中央位置に固定設置した場合、すなわち、散水栓７１の操作ハンドル７７に固着された弁棒の軸線Ｒが中蓋７６の略中心位置にくるよう散水栓の基部よりも下部を散水栓挿通孔ｈに挿入して散水栓７１を固定設置した場合では、ワンタッチアダプター７３は図中Ｊで示す領域を占める程大きく、また、散水栓７１の吐水口の先端が散水栓ボックス７８の一側側の側壁部Ｐに近接しすぎることになる。そのために散水栓７１に散水ホースＨを繋げると、散水ホースＨが干渉して上蓋７９が閉まらないおそれがあるといった課題があった。  
【０００５】
また、特許第３８９５９６３号公報に記載されている散水栓装置においては、散水栓の吐水口の先端が散水栓ボックスの一側側の側壁部に近接しすぎないようエルボ部材を介して散水栓を中蓋に固定設置し、それによって、散水栓を中蓋の略中央位置に固定設置した場合よりも散水ホースの上蓋との干渉を緩和したものが開示されている。しかしながら、この公報に記載されている散水栓装置では、エルボ部材を固定するため底板上の所定位置に二つの台座を形成するといった工程が必要であるとともに、ねじを用いてエルボ部材をこれら台座に固定するためエルボ部材の下部両側部に矩形板状の止め座を突出形成するといった工程が必要であり、その分コスト高になるといった課題がある。
【０００６】
本発明は上述の事柄を考慮に入れてなされたものであり、（１）水栓に接続可能な市販のエルボ部材に細工を施すことなくそのまま使用しながら、散水栓が中蓋の略中央位置に固定設置されているときよりも散水ホースの上蓋との干渉を緩和できること、（２）不意の衝撃等による水栓支持枠のぐらつき、がたつきを抑制できること、及び（３）エルボ部材を底板内において宙に浮かすことなく前記不意の衝撃等によるエルボ部材のぐらつき、がたつきを抑制できること、並びに（４）エルボ部材の水栓取付側（エルボ部材の下流側円筒部）の外周側を支持して、前記不意の衝撃等により水栓支持枠からエルボ部材がずれたり、水栓支持枠からエルボ部材が外れたりする事態を防止できることを目的とする散水栓装置を提供する。
【課題を解決するための手段】
【０００７】
上記目的を達成するため、本願の請求項１に係る発明は、底板と、この底板の周部に位置し、少なくとも対向する一対の側壁を有する側枠部と、側枠部内側又は側枠部外側に装着される水栓支持枠と、この水栓支持枠に支持された水栓の側方及び上方を覆うカバー体とを備え、
前記側壁には係止部を設ける一方、前記水栓支持枠には、前記係止部が設けられた側壁と相対する部分に被係止部を設け、
前記係止部と前記被係止部とを係脱可能に、且つ、前記側枠部に対し前記水栓支持枠を位置変更可能に装着してあるとともに、
底板は、水栓に接続されるエルボ部材の配管接続側円筒部を固定するための支持部を備える一方、水栓支持枠を前記側壁又は前記底板側に留具を用いて固定するよう構成されていることを特徴とする散水栓装置を提供する。
【０００８】
また、本願の請求項２に係る発明は、前記係止部が上下方向に延びる複数の突条又は凹溝であり、前記被係止部が上下方向に延びる複数の凹溝又は突条である請求項１に記載の散水栓装置を提供する。
【０００９】
また、本願の請求項３に係る発明は、前記底板は、前記支持部としてのリブを上面に有する請求項１又は請求項２に記載の散水栓装置を提供する。
【００１０】
また、本願の請求項４に係る発明は、前記水栓支持枠は、エルボ部材の水栓取付側の外周側を固定するよう構成されているとともに、水栓をエルボ部材に接続するときにエルボ部材が水栓と共回りするのを防止するため前記支持部とでエルボ部材の前記配管接続側円筒部を挟み込む切欠部を有する請求項１〜請求項３のいずれか１項に記載の散水栓装置を提供する。
【発明の効果】
【００１１】
本願の請求項１に係る発明では、底板の周部に位置する側枠部の少なくとも対向する一対の側壁に、係止部を設ける一方、水栓を支持する水栓支持枠には、前記係止部が設けられた側壁と相対する部分に被係止部を設け、更に、前記係止部と前記被係止部とを係脱可能に、且つ、前記側枠部に対し前記水栓支持枠を位置変更可能に装着している。即ち、本願の請求項１に係る発明では、前記係止部と前記被係止部とを係脱可能にしてあることにより、水栓支持枠を側枠部における好ましい位置に容易に装着することができ、従来技術で用いた台座のようなものを設けることなく、水栓支持枠に支持されている水栓を所望の固定位置に設置可能である。また、水栓の吐水口の先端が、水栓支持枠に支持された水栓の側方及び上方を覆うカバー体の一側側の側壁部に近接しすぎないよう水栓位置を水栓支持枠によってフレキシブル（容易に）に動かせるようにすることができるため、水栓が従来のように中蓋の略中央位置に固定設置されているときよりも散水ホースの上蓋との干渉が緩和できる。更に、従来技術で用いる中蓋の幅は、底板を覆う大きさであったが、本願の請求項１に係る発明では、後述する底板の幅（図３に示す、係止部ａ〜ｅが設けられている側壁７ａ，７ｂの長さｇ）よりも水栓を支持する水栓支持枠の幅ｉ（図６参照）を小さくすることができ、簡易な構成の水栓支持枠を提供することができる。
【００１２】
また、本願の請求項１に係る発明では、水栓に接続されるエルボ部材の配管接続側円筒部を底板に設けた支持部で固定するように構成することにより、エルボ部材を底板内において宙に浮かすことなく不意の衝撃等によるエルボ部材のぐらつき、がたつきを抑制できる。また、本願の請求項１に係る発明では、水栓支持枠を前記側壁又は前記底板側に留具を用いて固定するよう構成されていることから、前記不意の衝撃等による水栓支持枠のぐらつき、がたつきを確実に回避できる。
【００１３】
本願の請求項２に係る発明では、前記係止部が上下方向に延びる複数の突条又は凹溝であり、前記被係止部が上下方向に延びる複数の凹溝又は突条であることにより、水栓の位置変更が容易である。
【００１４】
本願の請求項３に係る発明では、前記底板は、前記支持部としてのリブを上面に有している。即ち、本願の請求項３に係る発明では、例えばエルボ部材１２の配管接続側円筒部（上流側円筒部）１２ａ（図１参照）の下面Ｒを支持するため底板１の上面１ａにそれぞれ前記リブ（例えば支持突起部）１４ａ及び前記リブ（例えば支持突起部）１４ｂを設けることにより、エルボ部材の上流側円筒部１２ａを前記リブ（例えば支持突起部）１４ａ，１４ｂ上に固定でき、エルボ部材が底板内において宙に浮くことを無くすことができ、それによって、前記不意の衝撃等によるエルボ部材のぐらつき、がたつきを抑制できる利点を有する。
【００１５】
本願の請求項４に係る発明では、水栓支持枠は、エルボ部材の水栓取付側（エルボ部材の下流側円筒部）の外周側が固定されるよう構成されている。即ち、本願の請求項４に係る発明では、水栓支持枠３には例えば図１に示すように水栓接続穴４０が設けられており、この水栓接続穴４０の直下に水栓接続穴４０に連通する形で、水栓支持枠３はエルボ部材１２の下流側円筒部（エルボ部材の最下流端）１２ｂを支持するための嵌め込み穴４１を有している。例えば下流側円筒部１２ｂのエルボ部材１２の最下流端部分（外向きフランジ）１２ｃを支持するための嵌め込み穴４１を有するとともに、前記嵌め込み穴４１が、エルボ部材の最下流端部分１２ｃの外周面に当接する例えば突条４２（図５参照）を内周面に有する場合においては、嵌め込み穴４１にエルボ部材１２の最下流端１２ｃを嵌め込むことによりエルボ部材１２の最下流端１２ｃの外周面が突条４２によって内周側に強固に圧接され、これにより、前記不意の衝撃等により水栓支持枠３からエルボ部材１２がずれたり、水栓支持枠３からエルボ部材１２が外れたりする事態を防止できる。
【００１６】
また、本願の請求項４に係る発明では、水栓支持枠が、前記支持部とでエルボ部材の前記配管接続側円筒部１２ａを挟み込む切欠部を有することから、挟み込まれた状態のエルボ部材に水栓を接続するときにエルボ部材が水栓と共回りするのを確実に防止することができる。
【図面の簡単な説明】
【００１７】
【図１】本発明の一実施形態における要部を切欠いて示す斜視図である。
【図２】上記実施形態における底板を示す斜視図である。
【図３】上記実施形態における底板を示す平面図である。
【図４】図３におけるＡ−Ａ断面図である。
【図５】上記実施形態における水栓支持枠を示す斜視図である。
【図６】上記実施形態における水栓支持枠を示す平面図である。
【図７】上記実施形態における水栓支持枠を示す底面図である。
【図８】（Ａ）及び（Ｂ）は、それぞれ、散水ホースが接続される水栓の吐出口を配管挿通穴が設けられている、係止部が形成されていない一方の側壁側に向けた場合の上蓋を開けた状態での上記実施形態を示す斜視図及び平面図である。
【図９】上記実施形態を示す構成説明図である。
【図１０】（Ａ）及び（Ｂ）は、散水ホースが接続される水栓の吐出口を配管挿通穴が設けられている、係止部が形成されていない一方の側壁側に対向する位置に設けた他方の側壁側に向けた場合の上蓋を開けた状態での上記実施形態を示す斜視図及び平面図である。
【図１１】従来例を示す構成説明図である。
【発明を実施するための形態】
【００１８】
以下、本発明の実施形態について説明する。図１〜図１０は、底板と側枠部を一体に形成するとともに、水栓支持枠を側枠部内側で位置変更可能に装着してあるとともに、配管挿通穴を係止部が形成されていない側枠部の一方の側壁側にのみ設けた本発明の一実施形態を示す。尚、図８と図１０の違いは、散水ホースを係止部が形成されていない一方の側壁側から取り出すか、この一方の側壁側に対向する位置に設けた他方の側壁側から取り出すかの違いによる。
【００１９】
図１〜図１０において、散水栓装置Ｄは、平面視矩形の底板１と、この底板１の周部に位置し、対向する二対の側壁６ａ，６ｂおよび７ａ，７ｂを有する側枠部２と、側枠部内側に装着される水栓支持枠３と、この水栓支持枠３に支持された水栓（散水栓）４の側方及び上方を覆うカバー体５とを備え、前記二対の側壁６ａ，６ｂおよび７ａ，７ｂのうち一方の側壁７ａ及び７ｂにはそれぞれ複数の係止部ａ〜ｄを設ける一方、水栓支持枠３には、前記係止部ａ〜ｄが設けられた側壁７ａ，７ｂと相対する部分に被係止部１１を設け、前記係止部ａ〜ｄと前記被係止部１１とを係脱可能に、且つ、側枠部２に対し水栓支持枠３を位置変更可能に装着してある。
【００２０】
この実施形態では、側枠部２は、底板１の全周縁から立ち上がる立ち上がり板部で構成されている。そして、側枠部２は、底板１の短手方向（両矢印Ｓで示す方向）に沿って左右に位置する一対の側壁（一対の対向部分）６ａ，６ｂと、底板１の長手方向（両矢印Ｌで示す方向）に沿って左右に位置する一対の側壁（一対の対向部分）７ａ，７ｂとより構成されている。この実施形態では、Ｌ方向を底板１の幅方向としており、図３において、ｆは、Ｓ方向に沿う側壁６ａ，６ｂの長さ、ｇは、Ｌ方向に沿う側壁７ａ，７ｂの長さである（ｆ＜ｇ）。尚、Ｓ方向を底板１の幅方向としてもよい。そして、一方の側壁６ｂの中央に上部側から切欠いたＵ字形の切欠（配管挿通穴）８が設けられている。尚、側枠部と底板を別体に形成してもよい。
【００２１】
前記係止部ａ〜ｄはそれぞれ前記側壁７ａおよび前記側壁７ｂの内面に設けられている一方、前記水栓支持枠３には、前記係止部ａ〜ｄが設けられた側壁７ａと相対する部分並びに、前記係止部ａ〜ｄが設けられた側壁７ｂと相対する部分にそれぞれ被係止部１１が設けられている。尚、側壁７ａおよび前記側壁７ｂの外面にそれぞれ係止部ａ〜ｄを設け、係止部ａ〜ｄが設けられた側壁７ａと相対する部分並びに、前記係止部ａ〜ｄが設けられた側壁７ｂと相対する部分にそれぞれ被係止部１１を設けてもよい。そして、この実施形態では、前記係止部ａ〜ｄが上下方向（側枠部２の高さ方向）に延びる複数の突条であり、これら突条がそれぞれＬ方向に沿って側枠部７ａ，７ｂの内面に所定間隔で配列されている。また、前記被係止部１１が上下方向（水栓支持枠３の高さｊの方向）に延びる単一の凹溝であり、この凹溝１１がＬ方向に沿う水栓支持枠３の側壁部２０，２２の外面における中央部に配置されている。この実施形態では、複数の係止部（突条）ａ〜ｄと単一の被係止部（凹溝）１１とを係脱するようにしている。即ち、水栓支持枠３の側壁部２０および２２の外面に単一の凹溝１１を設け、この単一の凹溝１１に、前記側壁７ａおよび前記側壁７ｂの内面に設けた五つの突条ａ〜ｄのうちそれぞれ一つ（突条ｅ又は突条ｂ）を係脱させている。図１、図８の場合は、単一の凹溝１１に係止部（突条）ａ〜ｄのうち一つの係止部（突条）ｅを係脱させている一方、図１０の場合は、単一の凹溝１１に係止部（突条）ａ〜ｄのうち一つの係止部（突条）ｂを係脱させており、側枠部２に対し水栓支持枠３を２段階に位置変更可能にしている。
【００２２】
さらに、底板１は、側壁６ｂに配管挿通穴８を有する。また、底板１は、水栓４に接続されるエルボ部材１２の配管接続側円筒部（エルボ部材の上流円筒部分である水平円筒部分）１２ａを固定するための支持部としての複数のリブ（例えば支持突起部）１４ａよりなるリブ群Ｔ（図３、図１０参照）を上面１ａの側壁６ａ側に一体に備えている。また、底板１は、エルボ部材１２の配管接続側円筒部１２ａを固定するための支持部としての複数のリブ（例えば支持突起部）１４ｂよりなるリブ群Ｐ（図３、図８参照）を側壁６ｂ側に上面１ａに一体に備えている。リブ１４ａとリブ１４ｂはそれぞれ同一形状であり、図４に示すような断面形状を有するとともに、図３に示すように、リブ１４ａ，１４ｂはそれぞれがＳ方向に沿った状態で形成されており、Ｌ方向に複数列、適宜間隔を有して配置されている。また、リブ１４ａ，１４ｂは中央に湾曲した凹所Ｗが形成されており、その凹所上面Ｉ（図４参照）に、エルボ部材１２の配管接続側円筒部１２ａの下面Ｒが支持される。即ち、図３に示すように、底板１の上面１ａにおいて、側壁６ａ，６ｂの中央部を結ぶ配管挿通穴８の軸線Ｚ上で、且つ側壁７ａ，７ｂの中心部Ｙを挟んだ位置に、リブ群Ｔ及びＰがそれぞれ一体に設けられている。そして、リブ群Ｐの中心部Ｍから中心部Ｙまでの寸法Ｘよりも、リブ群Ｔの中心部Ｎから中心部Ｙまでの寸法Ｘ’を短くして、エルボ部材１２の配管接続側円筒部１２ａの下面Ｒをリブ群Ｔ、リブ群Ｐのいずれの支持面Ｉに支持させた場合にも、水栓支持枠３に支持された水栓４の吐水口の先端が、水栓４の側方及び上方を覆うカバー体５の一側側の側壁部に近接しすぎないよう構成されている。
【００２３】
また、図１、図８と図１０のいずれにおいても、エルボ部材１２の配管接続側円筒部１２ａに接続されている配管５０の下面Ｕは配管挿通穴８に支持されている（図９参照）。  
【００２４】
また、散水栓装置Ｄは、水栓支持枠３を前記側壁７ａ，７ｂの係止部ａ〜ｄに留具を用いて固定するよう構成されている。この実施形態では、水栓支持枠３は中空の箱形状で、平面視矩形の上面部３３及び平面視矩形の下方開口１０を有している。上面部３３は中央に水栓設置板部分３５を有している。即ち、上面部３３は、台座３４（図８参照）を介して水栓４が固定設置される水栓設置板部分３５と、水栓支持枠３を前記側壁７ａ及び７ｂの係止部ａ〜ｄにビス等の留具３６（図１参照）を用いて固定するため形成されている複数のビス挿通孔３７が同じ数（２個）だけ上面部長手方向の左右（Ｓ方向）両端部に設けられている左右一対の留具部分３８，３８とよりなる。この実施形態では、前記留具部分３８には、適宜間隔を有してＬ方向に沿うよう形成された２個のビス挿通孔３７が設けられている。水栓設置板部分３５は両端の留具部分３８，３８よりも上方に突出形成されている。尚、水栓設置板部分３５を留具部分３８，３８よりも上方に突出させることなく、水栓設置板部分３５と留具部分３８，３８を同一面に形成してもよい。水栓支持枠３の幅（上面部短手方向の長さ）ｉ（図６参照）は側壁７ａ，７ｂの長さｇ（図３参照）よりも小さく設定されている（ｉ＜ｇ）。また、水栓支持枠３の高さｊは、係止部ａ〜ｄの高さＫ（図２参照）よりも留具部分３８の厚みだけ高く設定されている。一方、係止部ａは、Ｌ方向に適宜間隔を有して形成された２個のビス孔３７ａを上面側に備え、残りの係止部ｂ，ｃ，ｄ，ｅはそれぞれ１個のビス孔を上面側に備えている。図１、図８は、水栓支持枠３が係止部ａ〜ｄのうち係止部ａにおける図３向かって左のビス孔３７ａと係止部ｄのビス孔３７ａにビス３６を用いて固定されている状態を示しており、底板１の上面１ａに水栓支持枠３の下面３ａが当接している。また、図１０は、水栓支持枠３が係止部ａ〜ｄのうち係止部ａにおける図３向かって右のビス孔３７ａと係止部ｃのビス孔３７ａにビス３６を用いて固定されている状態を示している。
【００２５】
水栓支持枠３は、時計回りに四つの側壁部２０，２１，２２，２３を有する。対向する一対の側壁部２１，２３は、前記Ｓ方向に沿って左右に対向する状態で位置する。また、対向する一対の側壁部２０，２２は、Ｌ方向に沿って左右に対向する状態で位置する。また、水栓設置板部分３５には平面視円形の水栓接続穴４０が設けられている。そして、この水栓接続穴４０の直下に水栓接続穴４０に連通する形で、水栓支持枠３はエルボ部材１２の下流側円筒部（エルボ部材の下流円筒部分である鉛直円筒部分）１２ｂを支持するための嵌め込み穴４１を有している。この実施形態では、エルボ部材１２の下流側円筒部１２ｂの最下流端１２ｃが外向きフランジで形成されている。前記嵌め込み穴４１は例えば、外向きフランジ１２ｃの外周面に嵌合自在に当接する複数の上下方向に延びる突条４２を内周面に有している。
【００２６】
また、水栓支持枠３は、水栓４をエルボ部材１２に接続するときにエルボ部材１２が水栓４と共回りするのを防止するため支持部１４ａ又は１４ｂとでエルボ部材１２の前記配管接続側円筒部１２ａを二箇所において挟み込む切欠部５５，５６を有する。
【００２７】
また、カバー体５（図８、図９参照）は、平面視矩形の上方開口２４及び平面視矩形の下方開口２５を有する箱状の散水栓ボックス２７と、上方開口２４を覆うよう散水栓ボックス２７に着脱自在に装着されている上蓋２８とで構成されている。尚、散水栓ボックスと上蓋を一体に形成してもよい。この実施形態の散水栓ボックス３０は、四つの側壁部Ａ’，Ｂ’，Ｃ’，Ｅ’を有する。一対の側壁部Ａ’，Ｂ’は、Ｓ方向に沿って左右に対向する状態で位置する。また、一対の側壁部Ｃ’，Ｅ’は、Ｌ方向に沿って左右に対向する状態で位置する。図８に示す上蓋２８は、ヒンジ機構により側壁部Ａ’の側に開操作可能に構成されている。また、図１０に示す上蓋２８は、ヒンジ機構により側壁部Ｃ’の側に開操作可能に構成されている。尚、上蓋２８の閉時には、散水栓ボックス２７の上端内面に形成されたリブによって、上蓋２８の周端面部が支持される。上蓋２８は、Ｓ方向に沿って左右に対向する一対の短辺のうち一方の中央に、散水栓４に繋がれた散水ホース５０が挿通可能なホース挿通穴５１が形成されているとともに、不使用時にはホース挿通穴５１を閉塞するキャップ５２が着脱可能に設けられている。キャップ５２はホース挿通穴５１の周面に形成したガイド溝に嵌込可能な嵌込み式に構成されている。
【００２８】
また、散水栓装置Ｄにおいては、容易な操作で散水ホース５０を散水栓４に対して着脱できる公知の簡易着脱機構（例えば、特許第２６６６０５５号公報参照）の継手及びがそれぞれ散水栓４の吐水口及び散水ホース５０の開口端に備わっており、散水栓４の吐水口に取り付けた継手には弁体が組み込まれている。そして、その継手に散水ホース５０の開口端に取り付けた継手（ワンタッチアダプターとも言う）が接続可能な簡易着脱機構が構成されている。
【００２９】
而して、この実施形態では、水栓支持枠３を側枠部２における好ましい位置に容易に装着できる。即ち、散水ホース５０を係止部ａ〜ｄが形成されていない一方の側壁６ｂ側から取り出す図８に示す場合は、エルボ部材１２の配管接続側円筒部１２ａをリブ群Ｔに支持させる。また、散水ホース５０を係止部ａ〜ｄが形成されていない一方の側壁６ｂ側に対向する位置に設けた他方の側壁６ａ側から取り出す図１０に示す場合は、エルボ部材１２の配管接続側円筒部１２ａをリブ群Ｐに支持させる。この際、底板１の幅ｇよりも散水栓４を支持する水栓支持枠３の幅ｉ小さくするとともに、水栓支持枠３を前記側壁７ａ，７ｂの係止部ａ〜ｄに留具３６を用いて固定するので、凹溝１１に係止部（突条）ａ〜ｄのうち例えば一つの係止部（突条）ｂを係合させる場合に比べて水栓支持枠３のぐらつき、がたつきを確実に抑制できる。また、エルボ部材１２の配管接続側円筒部１２ａを固定するための支持部１４ａ，１４ｂを備えるので、エルボ部材を底板内において宙に浮かすことなくエルボ部材のぐらつき、がたつきを確実に抑制できる。また、水栓支持枠３は、エルボ部材１２の水栓取付側の外周側（エルボ部材１２の外向きフランジ１２ｃの外周面）を固定するよう構成されているので、水栓支持枠３からエルボ部材１２がずれたり、水栓支持枠３からエルボ部材１２が外れたりする事態を確実に防止でき、屋外の散水用に使用勝手の良い散水栓装置Ｄを利用できる。
【符号の説明】
【００３０】
１              底板
２              側枠部
３              水栓支持枠
５              カバー体
７ａ，７ｂ      側壁
１１            被係止部
１２            エルボ部材
１２ａ          配管接続側円筒部
１４ａ，１４ｂ  支持部
３６            留具
ａ〜ｄ          係止部
Ｄ              散水栓装置
【図１】
2018040180.tif 000003
【図２】
2018040180.tif 000004
【図３】
2018040180.tif 000005
【図４】
2018040180.tif 000006
【図５】
2018040180.tif 000007
【図６】
2018040180.tif 000008
【図７】
2018040180.tif 000009
【図８】
2018040180.tif 000010
【図９】
2018040180.tif 000011
【図１０】
2018040180.tif 000012
【図１１】
2018040180.tif 000013